(57)【特許請求の範囲】
【請求項１】
水酸基価が６ｍｇＫＯＨ／ｇ以上１５００ｍｇＫＯＨ／ｇ以下であるポリグリセリンと、常温で固体状であり、かつ、ＨＬＢ値が３以上１５未満であるポリオール脂肪酸エステルとからなり、ポリグリセリンとポリオール脂肪酸エステルとの重量混合比が１０：９０〜３０：７０であり、かつ、全体の水酸基価が６ｍｇＫＯＨ／ｇ以上１５００ｍｇＫＯＨ／ｇ以下であり、常温固体状であり、含水率が３０重量％以下であるポリオール配合物と、
動物の非罹病状態における尿に接触した際の色相と罹病状態における尿に接触した際の色相とが異なる健康指示薬とを含み、上記ポリオール配合物の含有率が９０重量％以上である組成物を、シート状担持体に担持させて、罹病状態における尿と接触して上記健康指示薬による色相変化を呈しその変化後の色相を保持することができる動物用健康検査材。
【請求項２】
水酸基価が６ｍｇＫＯＨ／ｇ以上１５００ｍｇＫＯＨ／ｇ以下であるポリエチレングリコールと、水酸基価が６ｍｇＫＯＨ／ｇ以上１５００ｍｇＫＯＨ／ｇ以下であるポリグリセリンとからなり、かつ、全体の水酸基価が６ｍｇＫＯＨ／ｇ以上１５００ｍｇＫＯＨ／ｇ以下であり、常温固体状であり、含水率が３０重量％以下であるポリオール調製物と、
動物の非罹病状態における尿に接触した際の色相と罹病状態における尿に接触した際の色相とが異なる健康指示薬とを含み、上記ポリオール調製物の含有率が９０重量％以上である組成物を、シート状担持体に担持させて、罹病状態における尿と接触して上記健康指示薬による色相変化を呈しその変化後の色相を保持することができる動物用健康検査材。
【請求項３】
水酸基価が６ｍｇＫＯＨ／ｇ以上１５００ｍｇＫＯＨ／ｇ以下であるポリエチレングリコールと、水酸基価が６ｍｇＫＯＨ／ｇ以上１５００ｍｇＫＯＨ／ｇ以下であるポリグリセリンと、常温で固体状であり、かつ、ＨＬＢ値が３以上１５未満であるポリオール脂肪酸エステルとからなり、かつ、全体の水酸基価が６ｍｇＫＯＨ／ｇ以上１５００ｍｇＫＯＨ／ｇ以下であり、常温固体状であり、含水率が３０重量％以下であるポリオール調製物と、
動物の非罹病状態における尿に接触した際の色相と罹病状態における尿に接触した際の色相とが異なる健康指示薬とを含み、上記ポリオール調製物の含有率が９０重量％以上である組成物を、シート状担持体に担持させて、罹病状態における尿と接触して上記健康指示薬による色相変化を呈しその変化後の色相を保持することができる動物用健康検査材。
【請求項４】
上記ポリオール脂肪酸エステルが、ポリグリセリン脂肪酸エステル、ソルビタン脂肪酸エステル、及び、ショ糖脂肪酸エステルのうち、少なくとも１種類からなる請求項１又は３に記載の動物用健康検査材。
【請求項５】
上記動物の尿と接触する前の色相が、罹病状態における尿と接触した際の色相よりも、非罹病状態における尿と接触した際の色相に寄ったものとなるように、上記健康指示薬の含有量を調整し、かつ、その色相を３時間以上に亘って保持し続けることができる請求項１乃至４のいずれか１項に記載の動物用健康検査材。
【請求項６】
上記シート状担持体の裏面に水を透過しないシートを貼り合わせた請求項１乃至５のいずれか１項に記載の動物用健康検査材。
【発明の詳細な説明】
【技術分野】
【０００１】
この発明は、動物の健康状態に応じて変化する尿の物性の変化を検出し、その物性に応じて変色する色相を保持して動物の健康状態を時間経過後もチェック可能な動物用健康検査材に関する。
【背景技術】
【０００２】
ペットなどの動物がかかる病気や体調の不良は、仕草や行動だけからはわかりにくい場合があるが、それでも排泄物の成分には変化が生じている場合がある。この性質を利用し、尿の成分を化学的にチェックすることで、動物の健康を調べる健康検査材が一般に用いられている。例えば、猫の病気として一般的な尿結石では、正常時の尿のｐＨが６．５〜７．０であるのに対して、尿結石に罹っている際のｐＨは７．０以上になることが知られている。すなわち、猫の尿のｐＨを測定することにより、尿結石に罹っているか否かを調べることができる。これは他の病気や他の動物についても、同様のことが言える場合があり、それらの病気では尿のｐＨ値により罹病状態か非罹病状態かを判別できる。
【０００３】
また、ｐＨだけでなく、病気によっては尿に糖やタンパクが含まれたり、その他の物性が変化することが多く、それらの物質を検出して変色する検出薬により、罹病状態か非罹病状態かを判別することができる。
【０００４】
具体的には、特許文献１に、粒子状やシート状などの高吸収性素材にｐＨ指示薬などの尿検査薬を含浸保持させた健康チェック剤が記載されている。この健康チェック剤を、ペットトイレなどの動物が排尿する箇所に散布し又は敷いておき、動物がそこに排尿した後でその健康チェック剤の色変化を観測することで、その尿検査薬に対応する健康項目をチェックできる。
【０００５】
また、細長い台紙の先端部にｐＨ試験紙を設け、台紙とｐＨ試験紙との間に尿などの検査液が溜まる構造を設けることで、ｐＨ試験紙の乾燥を遅延可能なｐＨ検査用スティックが、特許文献２に記載されている。
【０００６】
さらにこの他に親水性素材とｐＨ指示薬とを合わせたものとしては、親水性素材に、ｐＨ指示薬と酸性又は塩基性の物質と水とともに、水との相溶性を有しかつｐＨ指示薬に対する溶解能を有する常温で非揮散性の非プロトン性液体を保持させた担体であり、水の揮散とともに色調が変化する変色インジケータが、特許文献３に記載されている。
【０００７】
【特許文献１】特許第３９３３７８８号公報
【特許文献２】特許第３３５１５１８号公報
【特許文献３】特開２０００−９７８６３号公報
【発明の開示】
【発明が解決しようとする課題】
【０００８】
しかしながら、動物の中でも猫のように尿の回数が比較的少ない動物は、尿をするタイミングに合わせて尿の採取を行うのは困難である。このため、予め検査材をトイレに仕込んでおくといった使い方になる。しかし、そうして仕込んだ検査材が尿と接触することで呈した、尿の物性の微細な差異による色の違いを、長時間に亘って保持しなければ、後で異常を検知することができず、色が戻ってしまった後の検査材を見て健康体であると誤認してしまう場合があった。
【０００９】
特許文献１に記載の健康チェック剤では、尿がかかった際に、高吸収性素材だけではｐＨ指示薬を保持しきれずに流出させてしまうことがあった。また、水分の揮散が速いために、尿がかかる前の初期色に短時間で戻りやすく、観測した時には初期色に戻ってしまう場合があった。さらに、ペットトイレにも様々なタイプがあるが、高分子吸収体が用いられることが多いシートタイプでは、健康チェック剤中の水分が積極的に吸収されるために初期色に戻りやすいという問題もあった。なおかつ、猫砂タイプのペットトイレでは、アルカリ性を有する猫砂を用いている場合が多く、尿がかからなくても猫砂と接触しただけでアルカリ性に応じた色を示してしまう場合があった。
【００１０】
また、特許文献２に記載のｐＨ検査用スティックは、尿をかけたその場で検査員が目視するので、目視するまでの間だけ色相を保持すればよく、それほど長時間に亘る色相保持には向いていない。このため、尿の回数が比較的少ない動物に対して使用することは困難であった。さらに、特許文献１に記載の健康チェック剤と同様にｐＨ指示薬が流出しやすいという問題点があった。
【００１１】
一方、特許文献３に記載の変色インジケータは、水を揮散させて変色させることを目的としているため、過剰に水が含まれており、長期保管によりｐＨ指示薬の構造が崩れ、変色感度が非常に鈍る場合があった。また、元々保持している水のために、外部から少々の尿がかかっただけでは十分に変色しない場合もあった。
【００１２】
そこでこの発明は、受けた尿が少量でも十分に色の変化を示すことができ、その変色後の色相を長時間に亘って保持することができ、かつ、保管中にｐＨ指示薬などの色相変化を示す健康指示薬の構造変化を防ぐとともに、ハンドリングに優れ、使用時の健康指示薬の流出を抑えた動物用健康検査材を提供することを目的とする。
【課題を解決するための手段】
【００１３】
この発明は、水酸基価及びその他特定の条件を満たし常温で固体状であり含水率が所定の値以下である特定のポリオール、ポリオール脂肪酸エステル又はそれらの混合物と、
動物の非罹病状態における尿と接触した際の色相と罹病状態における尿に接触した際の色相とが異なる健康指示薬とを含む組成物を、シート状担持体に担持させて、罹病状態における尿と接触して上記健康指示薬による色相変化を呈しその変化後の色相を保持することができる動物用健康検査材により、上記の課題を解決したのである。
【００１４】
その特定のポリオール、ポリオール脂肪酸エステル又はそれらの混合物の構成とは以下のものが挙げられる。
【００１５】
まず、第一の構成は次の通りである。水酸基価が６ｍｇＫＯＨ／ｇ以上１５００ｍｇＫＯＨ／ｇ以下であり、常温固体状であり、含水率が１５重量％以下であるポリエチレングリコールからなる。
【００１６】
また、第二の構成は次の通りである。水酸基価が６ｍｇＫＯＨ／ｇ以上１５００ｍｇＫＯＨ／ｇ以下であるポリグリセリンと、常温で固体状であり、かつ、ＨＬＢ値が３以上１５未満であるポリオール脂肪酸エステルとからなり、ポリグリセリンとポリオール脂肪酸エステルとの重量混合比が１０：９０〜３０：７０であり、かつ、全体の水酸基価が６ｍｇＫＯＨ／ｇ以上１５００ｍｇＫＯＨ／ｇ以下であり、常温固体状であり、含水率が３０重量％以下であるポリオール配合物からなる。
【００１７】
さらに、第三の構成は次の通りである。水酸基価が６ｍｇＫＯＨ／ｇ以上１５００ｍｇＫＯＨ／ｇ以下であるポリエチレングリコールと、水酸基価が６ｍｇＫＯＨ／ｇ以上１５００ｍｇＫＯＨ／ｇ以下であるポリグリセリン、常温で固体状であり、かつ、ＨＬＢ値が３以上１５未満であるポリオール脂肪酸エステル、又はその両方とからなり、かつ、全体の水酸基価が６ｍｇＫＯＨ／ｇ以上１５００ｍｇＫＯＨ／ｇ以下であり、常温固体状であり、含水率が３０重量％以下であるポリオール調製物からなる。
【００１８】
なお、水酸基価の測定及び算出は、ＪＩＳ  Ｋ  ００７０に準じて実施した。またここで、ＨＬＢ値とはＪＩＳ  Ｋ  ３２１１の０１１５等で定義される親水性と親油性の程度を表す尺度であり、０〜２０の値を取る。０に近いほど親油性であり、２０に近いほど親水性である。
【００１９】
すなわち、健康指示薬をシート状担持体に含浸させて保持させるだけでなく、水酸基価が６ｍｇＫＯＨ／ｇ以上１５００ｍｇＫＯＨ／ｇ以下であるポリエチレングリコール（以下、「特定ポリエチレングリコール」という。）、水酸基価が６ｍｇＫＯＨ／ｇ以上１５００ｍｇＫＯＨ／ｇ以下であるポリグリセリン（以下、「特定ポリグリセリン」という。）、ＨＬＢ値が３以上１５未満であり常温固体状であるポリオール脂肪酸エステル（以下、「特定ポリオール脂肪酸エステル」という）を、特定の条件で選択し、全体として特定の水酸基価の範囲となるものを用い、これにより健康指示薬を保持することによって、接触した動物の尿を長時間に亘って保持することができ、揮散によって初期色に戻ることを抑制できるので、接触した尿の排出者である動物の健康状態に応じた色相を呈し、かつその色相を保持できる。
【００２０】
また、特定ポリエチレングリコール、特定ポリグリセリン、特定ポリオール脂肪酸エステルに主成分を限定し、なおかつ、全体の水酸基価又は平均水酸基価を抑えたものとすることで、それらポリオール類による変性作用を抑えるとともに、それ以外の化合物による影響を最小限に留めて、健康指示薬を安定状態で保持することができ、健康指示薬自体の構造が崩れることを抑制できるため、長期間の保管が可能となる。また、接触した動物の尿を長時間に亘って保持することができ、変色後の色相を長時間に亘って保持することができる。
【００２１】
特に、上記ポリオール配合物、又はポリオール調製物に常温固体状である特定ポリオール脂肪酸エステルが含まれると、シート状担持体からの健康指示薬の流出をより徹底して抑えるとともに、尿がかかってから尿を取り込むまでの所要時間を調整することが可能となり、排尿中及びその直後における健康指示薬の流出を防ぎ、動物の毛に健康指示薬の色が色移りすることを防止できる。また、一度取り込んだ尿は長時間保持することができ、そのため色相変化を維持させやすいものとなるので好ましい。
【００２２】
一方で、シート状担持体に担持させる組成物は、上記の特定ポリエチレングリコール、特定ポリグリセリン、及び特定ポリオール脂肪酸エステルと、上記健康指示薬だけでなく、他のポリオールやポリオール脂肪酸エステルを含んでいてもよい。ただし、それら不純物の含有量は組成物全体の１０重量％未満である必要がある。
【００２３】
また、含水率を所定の値以下とすると、健康指示薬を長期間に亘って安定に保つことができる。また、水分が過剰とならず、かつ、健康指示薬が十分に変色できるものとなる一方で、アルカリ性の猫砂や高吸水性素材に触れる程度の接触では、全体が変色するほどの影響を受けずに済む。さらに、シート状担持体に担持させたものであるので、これらの成分を敷設可能なシートとして取り扱うことができ、動物用トイレに敷設しておいて、１時間後〜６時間後でも変色を確認することができる。
【００２４】
用いる健康指示薬が、動物の非罹病状態における尿と接触した際の色相と罹病状態における尿と接触した際の色相とが異なることで、この動物用健康検査材が接触した尿の物性によって、この動物用健康検査材が示す色相が異なり、その尿を排出した動物が当該健康指示薬によって判断しうる病気について罹病状態であるか非罹病状態であるかを判断できる。また、尿と接触する前の色相を、罹病状態における尿と接触した際の色相よりも、非罹病状態における尿と接触した際の色相に寄ったものとするか、又は、非罹病状態における尿と接触した際の色相と同じとしておくと、罹病状態の尿と接触した際の変色がわかりやすくなる。そのような変色を起こすように予め調整しておくには、上記の特定ポリエチレングリコール、又はポリオール配合物、又はポリオール調製物（以下、「ポリオール組成物」という。）とともに上記シート状担持体に担持させただけでそのような色相変化を示す健康指示薬があるならばそのまま用いるとよい。しかし、罹病状態の尿と接触した際に示す色相に寄った色相を示す健康指示薬を用いる場合には、その他の物質を添加したり、ｐＨを調整したりすることで、色相を非罹病状態の尿と接触した際に示す色相に寄ったものに調整することができる。健康指示薬としてｐＨ指示薬を用いる場合には、動物の非罹病状態における尿のｐＨ値における色相と罹病状態における尿のｐＨ値における色相とが異なるｐＨ指示薬が利用でき、初期状態の色相を調整するにあたっては酸性又はアルカリ性であるｐＨ調整剤を含有させて初期状態のｐＨを調整することで実現できる。また、色相の変化を鮮明にするため、２種類以上のｐＨ指示薬を混合して使用しても良い。
【００２５】
上記シート状担持体の具体例としては、ポリエチレン繊維やポリプロピレン、ポリエチレンテレフタレート繊維などの樹脂製繊維を一種類、又は複数種類用いた樹脂製不織布や、レーヨン繊維、パルプ繊維などの非樹脂製繊維を一種類又は複数種類用いた親水性不織布、スポンジなどの発泡体などを用いることができる。特にレーヨンなどの親水性素材を用いると、上記ポリオール組成物を保持しやすく、また、親水性素材自体にも尿が含浸されるため、シート状担持体内部にまで浸透して、より長時間に亘って色相を保持することができる。さらに、上記シート状担持体そのものによって健康指示薬を一般に変色させることが少なく、担体として好適である。特に健康指示薬としてｐＨ指示薬を用いる場合には、これら上記シート状担持体によって変色することはほとんどない。
【００２６】
なお、上記ポリオール組成物を上記シート状担持体に担持させる方法としては、加熱して液状にした上記ポリオール組成物を繊維内部に含浸させる方法や、上記シート状担持体の表面にグラビア印刷などの印刷により塗工する方法などが挙げられる。
【発明の効果】
【００２７】
この発明にかかる動物用健康検査材を予め動物用トイレに敷設等しておくと、動物の排尿するタイミングがわからなくても、接触した尿により健康指示薬が呈した色相を保持し続けて、排尿から少なくとも１時間、構成によっては６時間から数日ほど経過した後でも動物の健康を確認することができる。また、この動物用健康検査材は、長期保管後も検査機能を失うことなく、動物の健康状態に応じて変わる尿の物性に応じた適切な変色を起こすことができる。
【発明を実施するための最良の形態】
【００２８】
以下、この発明について詳細に説明する。
この発明は、特定のポリエチレングリコール、特定のポリグリセリンと特定のポリオール脂肪酸エステルからなるポリオール配合物、又は、特定のポリエチレングリコールと特定のポリグリセリンや特定のポリオール脂肪酸エステル又はその両方とからなるポリオール調製物のいずれかを用い、それと健康指示薬との混合物をシート状担持体に担持させた、動物用健康検査材である。
【００２９】
なお、この発明においてポリオールとは、グリセリン、ポリグリセリンやポリエチレングリコールや、糖類などの、複数の水酸基を有する化合物をいう。また、ポリオール脂肪酸エステルとは、前記ポリオールが有する水酸基の一部に脂肪酸と反応を起こさせてエステル化した化合物をいう。上記のポリオールとこれらエステル化した化合物をまとめて「ポリオール類」という。具体的なポリオール脂肪酸エステルとしては、ポリグリセリン脂肪酸エステル、ソルビタン脂肪酸エステル、ショ糖脂肪酸エステルなどが挙げられる。これら脂肪酸エステルは、基となるポリグリセリンや糖類などの重合度や、水酸基のエステル化率が異なる化合物の混合体であってもよい。これら重合度やエステル化率を単一に揃えることは困難であり、一般的に分散を有するものだからである。
【００３０】
この発明で用い得るポリオール類について順に説明する。用いるポリオール類のうち、特定ポリエチレングリコール、特定ポリグリセリンとは、それぞれの化合物のうち水酸基価が６ｍｇＫＯＨ／ｇ以上１５００ｍｇＫＯＨ／ｇ以下であるものをいう。水酸基価が１５００ｍｇＫＯＨ／ｇを超えるものが含まれると、水酸基によって健康指示薬が不安定化しやすく、そのため、ｐＨ値やその他物性値が本来変色すべき値であるにも拘わらず、色相が変わらない場合がある。一方で、ポリオール類全般で、６ｍｇＫＯＨ／ｇ未満であるものはほとんど市販されておらず、６ｍｇＫＯＨ／ｇが現実的な下限である。
【００３１】
なお、実際にはポリエチレングリコールの場合、３００ｍｇＫＯＨ／ｇを超えるものはほとんどなく、利用しやすいものとしては２００ｍｇＫＯＨ／ｇ以下であるものが一般的である。水酸基価が２００ｍｇＫＯＨ／ｇを超えるものは常温で液体であるものがほとんどであり、単独では本発明に用いることができないが、他のポリオール類と混合することで利用可能な場合がある。
【００３２】
また、実際にはポリグリセリンの場合、８９０ｍｇＫＯＨ／ｇ未満のものはほとんど市販されておらず、一般に使用できるものの下限は８９０ｍｇＫＯＨ／ｇとなる。
【００３３】
次に、上記の特定ポリオール脂肪酸エステルとは、常温において固体状であり、ＨＬＢ値が３以上１５未満である必要がある。１５以上であるポリオール脂肪酸エステルを含んだポリオール調製物を含浸させた動物用健康検査材では、表面にべたつきが生じる場合があり、健康指示薬の流出や排尿中又はその直後の動物の毛に健康指示薬が呈する色が移行してしまう場合があるため１５未満である必要がある。一方で、３未満であると親水性が低いため、そのようなポリオール脂肪酸エステルを含浸させた動物用健康検査材は、尿を水滴状に弾いてしまい、１時間以上変色しない場合があるため、３以上である必要がある。
【００３４】
次に、これらの混合物について説明する。
上記ポリオール配合物は、常温において固体状であり、含水率が３０重量％以下である。なおかつ、上記特定ポリグリセリンと上記特定ポリオール脂肪酸エステルとからなり、重量混合比が１０：９０〜３０：７０である。このポリオール配合物も、全体として水酸基価が６ｍｇＫＯＨ／ｇ以上１５００ｍｇＫＯＨ／ｇ以下の値の範囲であることが必要である。ただし、上記特定ポリグリセリンと上記特定ポリオール脂肪酸エステルが一般に取りうる値から、一般に取りうる全体の水酸基価は、１６７ｍｇＫＯＨ／ｇ以上８００ｍｇＫＯＨ／ｇ以下に収まることが多い。
【００３５】
上記ポリオール調製物は、常温において固体状であり、含水率が３０重量％以下である。なおかつ、上記特定ポリエチレングリコールと、上記特定ポリグリセリン、上記特定ポリオール脂肪酸エステル、又はその両方とからなる。またこのポリオール調製物も、全体として水酸基価が６ｍｇＫＯＨ／ｇ以上１５００ｍｇＫＯＨ／ｇ以下の値の範囲であることが必要である。ただし、構成するポリオール類が上記の通り現実的に取りうる値の範囲の限界から、水酸基価が６７ｍｇＫＯＨ／ｇ以上、１０１５ｍｇＫＯＨ／ｇ以下に収まることが多い。
【００３６】
なお、上記の特定ポリエチレングリコール、特定ポリグリセリンのそれぞれは、重合度の異なる分子の混合物であってもよく、ポリエチレングリコールの集合体として、又はポリグリセリンの集合体として、上記の水酸基価を満たすものであればよい。また、上記のポリオール脂肪酸エステルは、重合度やエステル化度が異なる分子の混合物であってもよく、ポリオール脂肪酸エステルの集合体として、上記のＨＬＢ値を満たすものであればよい。なお、ポリオール脂肪酸エステルについても、全体として上記の水酸基価の範囲条件を満たしているとより好ましい。
【００３７】
上記のような水酸基価であるポリオールや上記のようなＨＬＢ値であるポリオール脂肪酸エステルを含み、上記のような特定の水酸基価であるポリオール調製物を含有することにより、この発明にかかる動物用健康検査材は、尿と接触して、その尿を排出した動物の健康状態に応じた色相を呈した後、その色相を少なくとも１時間は保持することができ、６時間以上保持することができるとより好ましく、１日以上保持できればさらに好ましい。なお、保持期間は長いほど好ましく、上限はない。
【００３８】
また、上記の特定ポリエチレングリコール、又は特定ポリグリセリン、又はポリオール脂肪酸エステルを必須成分として含む必要があるのは、以下の理由による。
【００３９】
上記特定ポリエチレングリコールの場合、常温固体状であっても変色速度が速く、配合比率によって変色速度を調整することが可能である。また、加熱溶融時に健康指示薬と混合した場合、ポリエチレングリコールに健康指示薬が溶けるため、健康指示薬を溶かす溶媒が不要となるため最適である。ただし、親水性が高いため、使用方法によっては指示薬が流出する可能性があるため、他のポリオールと併用することが好ましい。
【００４０】
上記特定ポリグリセリンの場合、色相を長期間保持することが可能であり、ポリグリセリンに指示薬が溶けるため、健康指示薬を溶かす溶媒が不要となるため最適である。ただし、使用方法によってはブロッキングが生じる可能性があるため、他のポリオールと併用することが必要となる。
【００４１】
上記特定ポリオール脂肪酸エステルの場合、常温で固体であり、瞬時に水分を取り込まないため、変色速度の調整や健康指示薬の流出防止、ブロッキングを防止するという点では最適である。また特に、ポリグリセリン脂肪酸エステルの場合、色相を長期間保持することが可能であるため、ポリオール脂肪酸エステルの中でも最適である。ただし、単独では水分を取り込みにくいために十分に変色しにくく、上記ポリオール配合物や上記ポリオール調製物といった組み合わせの混合物として用いる必要がある。
【００４２】
ただし、十分に上記健康指示薬を保持する必要があるとともに、他の化合物による変性などの影響を最小限に食い止めるため、上記特定ポリエチレングリコール、上記ポリオール配合物、又は上記ポリオール調製物が、後述するシート状担持体に担持させる組成物のうちの９０質量％以上を占めている必要がある。逆をいえば、この発明にかかる健康検査材は、上記特定ポリエチレングリコール、上記ポリオール配合物、上記ポリオール調製物のいずれかと、上記健康指示薬とだけでなく、他のポリオール、ポリオール脂肪酸エステルを一種類、又は複数種類含有してもよい。ただし、それら不純物の含有量は、シート状担持体に担持させるポリオール組成物全体の１０重量％未満である必要がある。この程度の範囲であれば、不純物としてその他のポリオールを含んでも、健康指示薬や尿の保持力、変色速度、粘性、色の保持力、担持後のべたつきなどの性質に悪影響を及ぼすことを抑制できる。
【００４３】
また、常温で液体状のポリグリセリンを含む上記ポリオール配合物、ならびにポリオール調製物全体としては、常温で流動性を失い固化する必要がある。逆に、常温で液状であると、シート状担持体に担持させた後でべたつきが生じたり、シート同士に接着が起きたり、あるいは、動物の毛への色移りが無視できなくなるおそれがあるからである。
【００４４】
上記ポリオール組成物の中でも、ポリオール調製物が特に好ましい。その中でもポリオール脂肪酸エステルがポリグリセリン脂肪酸エステルであることが最も好ましい。ポリグリセリン脂肪酸エステルを用いることで、上記ポリオール調製物の色相変化を長期間に亘って保持することができ、上記健康指示薬を変質させにくく、健康指示薬の流出を防ぎ、ハンドリングを改善することができるためである。その好ましい混合比は、上記特定のポリオールの一種類、又は複数種類の混合物１００重量部に対して、ポリオール脂肪酸エステル５重量部以上４００重量部以下であり、より好ましくは、８重量部以上３５０重量部以下である。
【００４５】
ただし、ポリオール脂肪酸エステルを添加する場合、その添加量は、他の特定ポリエチレングリコール、特定ポリグリセリン、又はその両方と合わせた混合物１００重量部に対して、５重量部以上、４００重量部以下であると好ましい。ポリオール脂肪酸エステルが５重量部未満の場合、色相を３時間以上保持することができず、また、ポリオール脂肪酸エステルが４００重量部を超える場合、５分後でも色相が変化しない場合があるためである。
【００４６】
また、上記ポリオール組成物を構成するポリオール又はポリオール脂肪酸エステルのうち、少なくとも一部は、上記健康指示薬を溶解可能であることが好ましい。上記健康指示薬を溶解できないポリオールやポリオール脂肪酸エステルとの混合物であると、上記健康指示薬は事実上、上記ポリオール組成物が含有する少量の水分にのみ溶解して呈色することになり、色の変化がわかりにくいものとなるからである。逆に、上記ポリオール組成物を構成する化合物の大半が上記健康指示薬を溶解できるものであれば、動物の非罹病状態における尿と接触した際の色相と罹病状態における尿と接触した際の色相との区別が判りやすく、また、色が安定しやすくなる。さらに、アルコールに可溶な上記健康指示薬を用いる場合には、アルコールに上記健康指示薬を溶かして上記健康指示薬を溶解できない上記ポリオール組成物に加えることもできる。しかしその場合は、アルコールの揮散に伴い色相が安定しにくくなるという問題点を有する。
【００４７】
なお、上記のポリオール類はいずれも水分を含むものが一般的であり、その水分含有量の上限は、後述する動物用健康検査材全体に対する含水率の条件を満たすものであるとよい。なお、上記ポリオール組成物の少なくとも一部が上記健康指示薬を溶解できるものであれば、水分を含んでいなくても特に問題はない。
【００４８】
その上で、上記ポリオール組成物は、全体として常温において固体状である必要がある。常温で液体状であると、後述するシート状担持体に安定的に保持させることが極めて困難になるからである。なお、上記ポリオール組成物を構成する一部のポリオール類が常温で液体状であっても、全体として固体状であればよい。仮にポリオール組成物全体が常温で液体状であると、液体である尿を瞬時に取り込むことができるが、その反面、そのポリオール又はその誘導体を含浸させたシート状担持体の表面がべたついてしまうため、後述する健康指示薬が流出しやすく、排尿中又はその直後の動物の毛に健康指示薬が呈する色が移行してしまう場合があるからである。
【００４９】
上記健康指示薬としては、ある動物が、特定の病気について罹病状態である場合と非罹病状態である場合とで、接触したときに示す色相が異なる化合物であれば利用可能である。例えば、健康な猫の尿はｐＨが７．０以下であるが、尿結石に罹っている猫の尿はｐＨが７．０より高くなるので、ｐＨ７．０付近に変色域を有するｐＨ指示薬を上記健康指示薬として用いることで、猫が尿結石に罹っているか否かを判別する動物用健康検査材とすることができる。この他、動物の種類や病気の種類に限らず、罹病状態であるか否かによって尿のｐＨ値が変動する病気については、その変動するｐＨ値の付近に変色域を有するように調整したｐＨ指示薬を、上記健康指示薬として用いることができる。このようなｐＨ指示薬としては、ブロムチモールブルー、チモールブルー、メチルレッド、ブロムクレゾールグリーン、クレゾールレッドなどが挙げられる。これらは単数でも使用可能であるが、より確実に色の変化を示させるために、複数を併用して用いると好ましい。特に、ブロムチモールブルー、チモールブルー、メチルレッドを併用すると、ｐＨ６〜８の近傍ではっきりとした変色を示すことができるので好ましい。動物の尿は極端な酸性、アルカリ性となることは少なく、中性付近で微小な変動をすることが多いためである。
【００５０】
また、健康指示薬としてテトラブロムフェノールブルーを用いた場合、尿中蛋白質の濃度により反応するため腎臓異常などの可能性を早期に発見できる。また、健康指示薬としてグルコースオキシダーゼとペルオキシダーゼとｏ−トリジンとを併用することにより、これらの混合体はブドウ糖と反応するので糖尿病の可能性を判定できる。更には、ビス（４−（α−ヒドロペルオキシイソプロピル）ベンジル）エーテルとｏ−トリジンとを併用することにより、これらの混合体はヘモグロビンなどと反応するため尿中潜血を判定することができ、膀胱炎や尿路結石などの検査を行うことが出来る。
【００５１】
なお、上記健康指示薬は、水やアルコールに溶解させてから上記ポリオール組成物と混合しても良いが、上記ポリオール組成物が上記健康指示薬を溶解することができる場合には直接混合させる方法が好ましい。そして、最終的に得られる動物用健康検査材の含水率が上記の条件を満たすものである必要がある。
【００５２】
この健康指示薬が、この発明にかかる動物用健康検査材が検査対象とする病気について検査対象とする病気に罹った罹病状態の尿と接触すると色相変化を起こす必要があり、かつ、非罹病状態である動物の尿と接触しても色相はそのまま、もしくは罹病状態の尿とは明らかに異なる色相となるものであるように調整しておくことが好ましい。病気時に変色せず、健康時に変色するものであると、尿が接触していないのに罹病状態でないと判断して病気を放置するために動物の病状が悪化したり、尿が接触しない場合でも病気であると判断して必要以上に心配してしまったりする場合がある。また、健康時の尿でも罹病状態と同じ色相に変色するものであると、罹病状態でないのに必要以上に心配してしまう場合がある。そのためには、尿と接触する前の上記動物用健康検査材の色相から、非罹病状態の尿と接触した際に示す色相と、罹病状態の尿と接触した際に示す色相とが、それぞれ判別できる程度に変色することが好ましい。具体的には、尿と接触する前の色相が、尿と接触した後の色相と変わるように、上記動物用健康検査材にその他の調整剤を含めて色相を調整する。例えばｐＨ指示薬を用いる場合には、上記ポリオール組成物と上記ｐＨ指示薬とを上記シート状担持体に担持させたそのままの状態で、そのようなｐＨ値になっていればよいが、そうでない場合は、上記ポリオール組成物と上記ｐＨ指示薬との混合物に、ｐＨ調整剤を加えてｐＨ値を非罹病状態側となるように調整しておく。このようなｐＨ調整剤としては、例えば、クエン酸、水酸化ナトリウムなどが挙げられる。
【００５３】
なお、非罹病状態の尿と接触した際に示す色相が、元の色相から変化しないものとすると、色相に拘わらず変色があることで誤って罹病状態であると誤解する危険性が無くなるが、実際に尿と接触したかどうかの確認がしにくくなるという欠点がある。
【００５４】
上記シート状担持体の材料は、検査対象の動物の尿によって化学変化しないものであると好ましく、具体的には、セルロース、セルロース誘導体、レーヨン、ポリアクリル酸、ポリビニルアルコールなどの親水性高分子や、ポリエチレン、ポリプロピレンなどの疎水性高分子が挙げられる。また、上記シート状担持体の形状は特に限定されないが、不織布などの多孔性シートであると、上記健康指示薬と上記ポリオール組成物、及び水の保持がし易いとともに、検出対象液体を吸収しやすく、長時間に亘って変化後の色相を保持しやすい。
【００５５】
上記シート状担持体に上記ポリオール組成物及び健康指示薬を担持させる方法としては、上記ポリオール組成物を液状となる温度にして、上記健康指示薬とともに上記シート状担持体の内部にまで含浸させる方法の他、上記シート状担持体の表面に塗工する方法も挙げられる。冷却後は常温で固形状であるため、上記シート状担持体と親和性が高ければ剥がれ落ちにくいものとなり、また、表面に載せることが出来る程度の少量でも十分に呈色させることができる。塗工する方法としては、ホットメルトコーター、リバースコーター、ホットスタンプ、スプレーコーティング、グラビア印刷機などの機械を用いた塗工が挙げられる。
【００５６】
また、上記シート状担持体の裏面に、水を透過しないシートを貼り合わせると、他方の面を上に敷設することで、尿の透過を防ぎ、変化した色相の保持能力を高めることができる。このような水を透過しないシートとしては、ポリエチレン、ポリプロピレン、ポリエチレンテレフタレートなどのフィルムや耐水性不織布などが挙げられる。
【００５７】
動物用トイレに敷設して、動物の尿から動物の罹病状態をチェックする場合には、シートに直接排泄することを動物が嫌がる場合には、その表面を少量の砂で覆って、動物に排泄させやすくする手段も可能である。この場合、上記動物用健康検査材の表面を覆う砂は、水の吸収性が低いものを用いる必要がある。砂に吸収されて尿が上記動物用健康検査材まで届かなくなっては意味がないからである。
【００５８】
このように設置した上記動物用健康検査材は、尿がかかった直後に変色した場合、その変色後の色を少なくとも１時間は保持することができ、６時間以上保持することができるものであると好ましい。
【００５９】
一方、この発明にかかる動物用健康検査材の含水率は、０重量％でもよい。含水率が低いことで健康指示薬を長期間にわたって安定に維持することができるため好ましい。ただし、含水率が低いことで初期の色相変化が遅れる場合がある。そのため、初期の色相変化速度を高めるには０．１重量％以上であるとよく、１重量％以上であるとより好ましい。０．１重量％未満であると、変色後の色相の保持性が著しく低下する場合がある。なお、この好ましい含水率の下限は製造時の値であり、使用時の尿が接触するまでの間に水分が揮散して含水率が低下する場合や吸湿して含水率が増加する場合がある。一方で、含水率は特定ポリエチレングリコールの場合、１５重量％以下である必要がある。また、ポリオール配合物、ポリオール調製物の場合、３０重量％以下である必要がある。水分が多すぎる状態で長期間保存していると、ｐＨ指示薬など上記健康指示薬の種類によっては再結晶してしまう場合がある。このような再結晶が起こると、上記健康指示薬の状態が変わり、必要な色相変化を示すことができなくなってしまう場合がある。特定ポリエチレングリコールの場合、含水率が１５重量％、ポリオール配合物、ポリオール調製物の場合、３０重量％を超えると、この可能性が特に高くなってしまうため、それぞれの重量％以下であることが必要であり、特に長期間保存する場合には、ポリオール組成物の水分量は１５重量％以下であるとより好ましい。また、特定ポリエチレングリコールの場合、含水率が１５重量％を超えると、接触した尿によって健康指示薬の流出が向上する場合がある。なお、この発明にかかる動物用健康検査材を製造するにあたっては、含水率を適切な値とするために、上記のポリオール組成物が含有する水以外に、別途水を担持させてもよい。
【００６０】
また、この発明にかかる動物用健康検査材は、上記の成分の他に、この発明にかかる作用を阻害しない範囲で添加剤を有していても良い。このような添加剤としては、ブチルヒドロキシトルエン、ジブチルヒドロキシアニソールなどの酸化防止剤、２−ヒドロキシ−４−メトキシベンゾフェノン、２−（２’−ヒドロキシ−５’−メチルフェノン）ベンゾトリアゾールなどの光安定化剤、ブロッキング防止目的としてワックスやセルロースパウダーなどのブロッキング防止剤などが挙げられる。
【００６１】
さらに、この発明にかかる動物用健康検査材は、使用の際に下側となる面に水を透過しないシートを貼り合わせておくと、尿の透過を防ぎ、変化した色相の保持能力を高め、変色が裏移りせず、色が拡散しにくくなるためより好ましい。このような水を透過しないシートとしてはポリエチレン、ポリプロピレン、ポリエチレンテレフタレートなどのフィルムや耐水性不織布などが挙げられる。また、貼り合わせる方法としては、熱溶着、ドライラミネート、または動物用健康検査材の下に設置するだけでも同様の効果を得ることができる。
【実施例】
【００６２】
以下、実施例を挙げてこの発明をより具体的に示す。なお、水酸基価の測定は、ＪＩＳ  Ｈ  ００７０に準じて実施した。
【００６３】
＜ｐＨ指示薬を用いた場合＞
（参考例１）
水酸基価が６ｍｇＫＯＨ／ｇであり、含水率１０重量％である常温で固体状のポリエチレングリコール（ナカライテクス（株）製：＃２００００、不純物としてエチレングリコールを含む。（表中、ポリエチレングリコールを「ＰＥＧ」と略記する。）１００重量部に、ｐＨ指示薬としてメチルレッド（純正化学（株）製）を０．０３重量部及びブロモチモールブルー（純正化学（株）製）を０．０３重量部、初期ｐＨ調整剤としてクエン酸一水和物０．００４重量部とを均一に溶解させ、８０℃に加温した後、シート状担持体であるレーヨン不織布（金星製紙（株）製：ボンリック４１００）１００重量部にバーコーター（Ｎｏ．１０）を用いて担持させたシート状の動物用健康検査材を得た。
【００６４】
得られた動物用健康検査材の上方から、ｐＨ６．８、７．４、８．０に調整したｐＨ調整液をそれぞれ滴下したものを、２５℃の環境下で経時的な色相変化を目視にて観察した。その結果を表１に示す。なお、表中の◎、○、△、×の意味は以下の通りである。
・◎：適正な無変色、もしくは色相変化があり、評価が可能
・○：一旦変色した色相が元に戻りつつあるが、評価は可能
・△：試験前に比べ僅かに色相変化があるが、評価は不可能
・×：不適正な無変色、もしくは色相変化があり、評価が不可能（変色後に元に戻った場合を含む。）
なお、適正な無変色とは、ｐＨ調整液のｐＨ値上、その色のままであることが適正である状態を示す。また、不適正な無変色とは、本来ｐＨ値上は変色するはずであるにも拘わらず変色しないものをいう。
【００６５】
【表１】
0005221435.tif 000002
【００６６】
またそれとは別に、上記の得られた動物用健康検査材をアルミ袋内に密封し、４０℃の環境で３ヶ月保管した後、上記と同様に三種類のｐＨ調整液を滴下した後の色相変化を観察した。その結果を表１に示す。
【００６７】
（実施例１）
参考例１において、水酸基価が８９０ｍｇＫＯＨ／ｇであり、含水率１０重量％である常温で液体状のポリグリセリン（阪本薬品工業（株）製：＃７５０、不純物としてグリセリンを含む。）１０重量部を加え、初期ｐＨ調整剤を無添加にした以外は参考例１と同様の手順により動物用健康検査材を得て、同様の試験を行った。その結果を表１に示す。
【００６８】
（実施例２）
実施例１で用いたポリグリセリンを２５重量部とし、ＨＬＢ値が３であり、含水率０重量％である常温で固体状のポリグリセリン脂肪酸エステル（太陽化学（株）製：サンソフトＱ−１８１０Ｓ）（表中、ポリグリセリン脂肪酸エステルを「ＰＧＦＡＥ」と略記する。）７５重量部を加えた以外は実施例１と同様の手順により動物用健康検査材を得て、同様の試験を行った。その結果を表１に示す。
【００６９】
（実施例３）
実施例２で用いたポリグリセリン脂肪酸エステルを、ＨＬＢ値が１４．９であり、含水率０重量％である常温で固体状のポリグリセリン脂肪酸エステル（太陽化学（株）製：サンソフトＱ−１８Ｙ）７５重量部に変えた以外は実施例１と同様の手順により動物用健康検査材を得て、同様の試験を行った。その結果を表１に示す。
【００７０】
（実施例４）
実施例２で用いたポリグリセリン脂肪酸エステルを、ＨＬＢ値が１１であり、含水率０重量％である常温で固体状のポリグリセリン脂肪酸エステル（太陽化学（株）製：サンソフトＱ−１８２Ｓ）６．３重量部に変えた以外は実施例１と同様の手順により動物用健康検査材を得て、同様の試験を行った。その結果を表１に示す。
【００７１】
（実施例５）
実施例４で用いたポリグリセリン脂肪酸エステルを５００重量部に変えた以外は実施例１と同様の手順により動物用健康検査材を得て、同様の試験を行った。その結果を表１に示す。
【００７２】
（実施例６）
実施例２で用いたポリグリセリンを、水酸基価が１０７０ｍｇＫＯＨ／ｇであり、含水率５重量％である常温で液体状のポリグリセリン（阪本薬品工業（株）製：＃３１０、不純物としてグリセリンを含む。）に変えた以外は実施例１と同様の手順により動物用健康検査材を得て、同様の試験を行った。その結果を表１に示す。
【００７３】
（実施例７）
実施例２で用いたポリエチレングリコールを水酸基価が１１３ｍｇＫＯＨ／ｇであり、含水率５重量％である常温で固体状のポリエチレングリコール（ナカライテクス（株）製：＃１０００、不純物としてエチレングリコールを含む。）１００重量部に変えた以外は実施例１と同様の手順により動物用健康検査材を得て、同様の試験を行った。その結果を表１に示す。
【００７４】
（実施例８）
実施例７で用いた動物用健康検査材にポリグリセリン脂肪酸エステルを、ＨＬＢ値が６．７であり、含水率０重量％である常温で固体状のソルビタン脂肪酸エステル（花王（株）製：エマゾールＰ−１０Ｖ）７５重量部に変えた以外は実施例１と同様の手順により動物用健康検査材を得て、同様の試験を行った。その結果を表１に示す。
【００７５】
（実施例９）
実施例７で用いたポリグリセリン脂肪酸エステルを、ＨＬＢ値が７であり、含水率０．５重量％である常温で固体状のショ糖脂肪酸エステル（三菱化学フーズ（株）製：シュガーエステルＳ−７７０）７５重量部に変えた以外は実施例１と同様の手順により動物用健康検査材を得て、同様の試験を行った。その結果を表１に示す。
【００７６】
＜罹病状態の猫の尿での検討＞
（実施例１０）
実施例２で得られた動物用健康検査材にｐＨ調整液の代わりに罹病状態の猫から採取したｐＨ７．２の尿を用いた以外は実施例１と同様の試験を行った。その結果を表２に示す。
【００７７】
【表２】
0005221435.tif 000003
【００７８】
＜猫砂の上に設置での検討＞
（参考例２）
参考例１において、シリカゲルの猫砂（アイリスオーヤマ（株）製 商品名：脱臭サンド、アルカリ性）の上に動物用健康検査材を設置した以外は、参考例１と同様の試験を実施した。その結果を表２に示す。
【００７９】
＜その他の病気への応用例＞
（実施例１１）
実施例２で用いたｐＨ指示薬の代わりに、テトラブロムフェノールブルー（東京化成工業（株）製、表中「ＴＢＰＢ」と略記する。）：０．０２重量部を用い、初期ｐＨ調整剤としてクエン酸（扶桑化学工業（株）製）５重量部を用い、ｐＨ調整液を蛋白調製液に変えた以外は実施例２と同様の手順により動物用健康検査材を得て、同様の試験を行った。その結果を表２に示す。なお、蛋白調製液は、水にアルブミン［人血清由来（和光純薬工業（株）製）を（１）０ｍｇ／ｄＬ（無添加）、（２）１５ｍｇ／ｄＬ、（３）１００ｍｇ／ｄＬに調製したものを使用した。
【００８０】
（実施例１２）
実施例２で用いたｐＨ指示薬の代わりに、グルコースオキシダーゼ（関東化学（株）製）：０．０００２重量部、ペルオキシダーゼ（関東化学（株）製）：０．００１４重量部、ｏ−トリジン（キシダ化学（株）製）：０．０５５重量部からなる混合物を用い、ｐＨ調整液をブドウ糖調製液に変えた以外は実施例１と同様の手順により動物用健康検査材を得て、同様の試験を行った。その結果を表２に示す。なお、ブドウ糖調製液は、水にＤ−（＋）−グルコース（ナカライテクス（株）製）を（１）０ｍｇ／ｄＬ（無添加）、（２）１００ｍｇ／ｄＬ、（３）５００ｍｇ／ｄＬに調製したものを使用した。
【００８１】
（実施例１３）
実施例２で用いたｐＨ指示薬の代わりに、クメンヒドロペルオキシド（ナカライテクス（株）製）：０．０１５重量部、ｏ−トリジン（キシダ化学（株）製）：０．０２５重量部からなる混合物を用い、ｐＨ調整液をヘモグロビン調製液に変えた以外は実施例１と同様の手順により動物用健康検査材を得て、同様の試験を行った。その結果を表２に示す。なお、ヘモグロビン調製液は、水にヘモグロビン（和光純薬工業（株）製）を（１）０ｍｇ／ｄＬ（無添加）、（２）０．０６ｍｇ／ｄＬ、（３）０．１５ｍｇ／ｄＬに調製したものを使用した。
【００８２】
（参考例３）
実施例１で用いたポリグリセリンの代わりにＨＬＢ値が１１であり、含水率０重量％である常温で固体状のポリグリセリン脂肪酸エステル（太陽化学（株）製：サンソフトＱ−１８２Ｓ）５５０重量部に変えた以外は実施例１と同様の手順により動物用健康検査材を得て、同様の試験を行った。その結果を表２に示す。
【００８３】
（参考例４）
実施例１で用いたポリグリセリンの代わりにＨＬＢ値が１１であり、含水率０重量％である常温で固体状のポリグリセリン脂肪酸エステル（太陽化学（株）製：サンソフトＱ−１８２Ｓ）６重量部に変えた以外は実施例１と同様の手順により動物用健康検査材を得て、同様の試験を行った。それらの結果を表２に示す。
【００８４】
（実施例１４）
実施例１で用いたポリエチレングリコールの代わりにＨＬＢ値が１１であり、含水率０重量％である常温で固体状のポリグリセリン脂肪酸エステル（太陽化学（株）製：サンソフトＱ−１８２Ｓ）に変え、ポリグリセリンを２０重量部に変えた以外は実施例１と同様の手順により動物用健康検査材を得て、同様の試験を行った。それらの結果を表２に示す。
【００８５】
（実施例１５）
実施例２で得られたポリオール調製物をシート状担持体に８ｇ／ｍ２となるようにホットメルトコーター（松下工業（株）製）にてコーティングして動物用健康検査材を得て、参考例１と同様の試験を行った。それらの結果を表２に示す。
【００８６】
（実施例１６）
実施例２で用いたポリグリセリン脂肪酸エステルを７０重量部に変え、含水率０重量％である常温で固体状のパラフィンワックス（日本精鑞（株）製：１５５）：５重量部を加えた以外は実施例１と同様の手順により動物用健康検査材を得て、同様の試験を行った。その結果を表２に示す。
【００８７】
（実施例１７）
実施例１４のポリグリセリンを１３重量部に変え、ＨＬＢ値が３であり、含水率０重量％である常温で固体状のポリグリセリン脂肪酸エステル（太陽化学（株）製：サンソフトＱ−１８１０Ｓ）に変えた以外は、実施例１４と同様の手順により動物用健康検査材を得て、同様の試験を行った。その結果を表３に示す。
【００８８】
【表３】
0005221435.tif 000004
【００８９】
（実施例１８）
実施例１４で用いたポリグリセリンを水酸基価が１０７０ｍｇＫＯＨ／ｇであり、含水率５重量％である常温で液体状のポリグリセリン（阪本薬品工業（株）製：＃３１０、不純物としてグリセリンを含む。）４２重量部に変え、ＨＬＢ値が１２であり、含水率０重量％である常温で固体状のポリグリセリン脂肪酸エステル（太陽化学（株）製：サンソフトＱ−１８Ｓ）に変えた以外は、実施例１４と同様の手順により動物用健康検査材を得て、同様の試験を行った。その結果を表３に示す。
【００９０】
（実施例１９）
実施例１４で用いた健康指示薬を水４７重量部に溶かして加えた以外は、実施例１４と同様の手順により動物用健康検査材を得て、同様の試験を行った。その結果を表３に示す。
【００９１】
（実施例２０）
実施例４で用いたポリエチレングリコールを１２０重量部に変え、ポリグリセリンを５重量部に変え、ＨＬＢ値が３であり、含水率０重量％である常温で固体状のポリグリセリン脂肪酸エステル（太陽化学（株）製：サンソフトＱ−１８１０Ｓ）５００重量部に変えた以外は、実施例４と同様の手順により動物用健康検査材を得て、同様の試験を行った。その結果を表３に示す。
【００９２】
（実施例２１）
実施例４で用いたポリエチレングリコールを水酸基価が１１３ｍｇＫＯＨ／ｇであり、含水率５重量％である常温で固体状のポリエチレングリコール（ナカライテクス（株）製：＃１０００、不純物としてエチレングリコールを含む。）５重量部に変え、ポリグリセリンを水酸基価が１０７０ｍｇＫＯＨ／ｇであり、含水率５重量％である常温で液体状のポリグリセリン（阪本薬品工業（株）製：＃３１０、不純物としてグリセリンを含む。）１２０重量部に変え、ＨＬＢ値が１２であり、含水率０重量％である常温で固体状のポリグリセリン脂肪酸エステル（太陽化学（株）製：サンソフトＱ−１８Ｓ）６．３重量部に変えた以外は、実施例４と同様の手順により動物用健康検査材を得て、同様の試験を行った。その結果を表３に示す。
【００９３】
（実施例２２）
実施例２で得られたポリオール調製物にＨＬＢ値が６．７であり、含水率０重量％である常温で固体状のソルビタン脂肪酸エステル（花王（株）製：エマゾールＰ−１０Ｖ）２５重量部加えた以外は、実施例２と同様の手順により動物用健康検査材を得て、同様の試験を行った。その結果を表３に示す。
【００９４】
（参考例５）
参考例１で得られた動物用健康検査材の裏面に、周囲に両面テープを貼り付けた厚さ３０μｍのポリエチレンフィルムを貼り合わせて得られた動物用健康検査材を用いた以外は、参考例１と同様の試験を行った。その結果を表３に示す。
【００９５】
（参考例６）
参考例１で用いたポリエチレングリコールの代わりに水酸基価が１１３ｍｇＫＯＨ／ｇであり、含水率５重量％である常温で固体状のポリエチレングリコール（ナカライテクス（株）製：＃１０００、不純物としてエチレングリコールを含む。）に変えた以外は参考例１と同様の手順により動物用健康検査材を得て、同様の試験を行った。その結果を表３に示す。
【００９６】
（参考例７）
参考例６において、水酸基価が１９０ｍｇＫＯＨ／ｇであり、含水率５重量％である常温でペースト状のポリエチレングリコール（ナカライテクス（株）製：＃６００、不純物としてエチレングリコールを含む。）５重量部を加えた以外は参考例１と同様の手順により動物用健康検査材を得て、同様の試験を行った。またその混合物は常温で固体状であった。その結果を表３に示す。
【００９７】
（比較例１）
参考例１で用いたポリエチレングリコールの代わりに水酸基価が２８１ｍｇＫＯＨ／ｇであり、含水率５重量％である常温で液体状のポリエチレングリコール（ナカライテクス（株）製：＃４００、不純物としてエチレングリコールを含む。）を用いた以外は、参考例１と同様の手順により動物用健康検査材を得て、同様の試験を行った。その結果、色相変化は生じたもののシートが濡れた状態であるため、健康指示薬が拡散し、色相が薄れてしまうため、すぐに評価ができなくなった。それらの結果を表４に示す。
【００９８】
【表４】
0005221435.tif 000005
【００９９】
（比較例２）
参考例１で用いたポリエチレングリコールの代わりに水酸基価が８９０ｍｇＫＯＨ／ｇであり、含水率１０重量％である常温で液体状のポリグリセリン（阪本薬品工業（株）製：＃７５０、不純物としてグリセリンを含む。）を用いた以外は、参考例１と同様の手順により動物用健康検査材を得て、同様の試験を行った。長時間の色相保持や健康指示薬の安定性は良好であるものの、ｐＨ調整液滴下直後に動物用健康検査材の表面がべたついてしまい、排尿中又はその直後の動物の毛に健康指示薬が呈する色が移行してしまうものとなった。それらの結果を表４に示す。
【０１００】
（比較例３）
実施例２において、ポリグリセリンの代わりに水酸基価が１８３０ｍｇＫＯＨ／ｇであり、含水率１重量％である常温で液体状のグリセリン（ナカライテクス（株）製）を用いた以外は、実施例１と同様の手順により動物用健康検査材を得て、同様の試験を行った。その結果、３ヶ月保管後は色相が変化しなくなってしまった。これはグリセリンの水酸基によりｐＨ指示薬が変性されてｐＨ試験機能が失われてしまったからと考えられる。それらの結果を表４に示す。
【０１０１】
（比較例４）
参考例１で用いたポリエチレングリコールの代わりに水酸基価が５０３ｍｇＫＯＨ／ｇであり、含水率０重量％である常温で固体状のＨＬＢ値１１のポリグリセリン脂肪酸エステル（太陽化学（株）製：サンソフトＱ−１８２Ｓ）を用いた以外は、参考例１と同様の手順により動物用健康検査材を得て、同様の試験を行った。その結果、評価が可能である色相に到達するまでに３時間程度要するため、誤った判断を下す可能性があった。それらの結果を表４に示す。
【０１０２】
（比較例５）
参考例１で用いたポリエチレングリコールの代わりに水酸基価が２９０ｍｇＫＯＨ／ｇであり、含水率０重量％である常温で固体状のＨＬＢ値６．７のソルビタン脂肪酸エステル（花王（株）製：エマゾールＰ−１０Ｖ）（表中、ソルビタン脂肪酸エステルを「ソルビタンＦＡＥ」と略記する。）を用いた以外は、参考例１と同様の手順により動物用健康検査材を得て、同様の試験を行った。その結果、色相が変わらなかった。それらの結果を表４に示す。
【０１０３】
（比較例６）
参考例１で用いたポリエチレングリコールの代わりに水酸基価が３７０ｍｇＫＯＨ／ｇであり、含水率０．５重量％である常温で固体状のＨＬＢ値７のショ糖脂肪酸エステル（三菱化学フーズ（株）製：シュガーエステルＳ−７７０）を用いた以外は、参考例１と同様の手順により動物用健康検査材を得ようとしたが、その結果、常温で粘調な状態となったため、シート表面へのコーティングが困難なものとなった。また仮にコーティングできたとしても、シート表面がべたついてしまい、排尿中又はその直後の動物の毛に健康指示薬が呈する色が移行してしまうものになると推察される。その結果を表４に示す。
【０１０４】
（比較例７）
参考例１で用いたポリエチレングリコールの代わりに水酸基価が８９０ｍｇＫＯＨ／ｇであり、含水率１０重量％である常温で液体状のポリグリセリン（阪本薬品工業（株）製：＃７５０、不純物としてグリセリンを含む。）を用い、含水率０重量％である常温で固体状のパラフィンワックス（日本精鑞（株）製：１５５）：２００重量部加えた以外は、参考例１と同様の手順により動物用健康検査材を得ようとしたが、混合物が分層してしまい動物用健康検査材を得ることができなかった。その結果を表４に示す。
【０１０５】
（比較例８）
実施例２で用いたポリエチレングリコールを水酸基価が１１３ｍｇＫＯＨ／ｇであり、含水率５重量％である常温で固体状のポリエチレングリコール（ナカライテクス（株）製：＃１０００、不純物としてエチレングリコールを含む。）に変え、同じくポリグリセリン脂肪酸エステルをＨＬＢ値が１５であり、含水率０重量％である常温で固体状のポリグリセリン脂肪酸エステル（太陽化学（株）製：サンファットＰＳ−６８）に変えた以外は実施例１と同様の手順により動物用健康検査材を得て、同様の試験を行った。その結果、色相が変わらなかった。それらの結果を表４に示す。
【０１０６】
（比較例９）
動物用健康検査材の代わりに、市販のｐＨ試験紙（アドバンテック（株）製・商品名ブロモチモールブルー試験紙）を用いて参考例１と同様の試験を行ったところ、ｐＨ調整液を滴下した直後は変色するものの、水の揮散に伴い、１時間後には滴下前の色相に戻ってしまった。その結果を表４に示す。
【０１０７】
（比較例１０）
動物用健康検査材の代わりに、再生パルプ、デンプン、及びｐＨ指示薬により構成されたペットの尿で診断する健康管理商品（ペットライブラリー（株）製・商品名：ペーハーマスター）を用いて参考例１と同様の試験を行ったところ、ｐＨ調整液を滴下した直後は変色するものの、水の揮散に伴い、１時間後には滴下前の色相に戻ってしまった。その結果を表４に示す。
【０１０８】
（比較例１１）
参考例１において、水１０重量部を加えた以外は参考例１と同様の手順により動物用健康検査材を得て、同様の試験を行った。また、得られた動物用健康検査材の含水率は１５重量％であった。その結果、３ヶ月保管後は色相が変化しなくなってしまった。これは含水率が高いためにｐＨ指示薬が変性されてｐＨ試験機能が失われてしまったからと考えられる。それらの結果を表５に示す。
【０１０９】
【表５】
0005221435.tif 000006
【０１１０】
（比較例１２）
実施例１４のポリグリセリンを１０重量部に変えた以外は、実施例１４と同様の手順により動物用健康検査材を得て、同様の試験を行った。その結果、５分後でも評価は不可能であり、誤った判断を下す可能性があった。それらの結果を表５に示す。
【０１１１】
（比較例１３）
実施例１４のポリグリセリンを４３重量部に変えた以外は、実施例１４と同様の手順により動物用健康検査材を得て、同様の試験を行った。その結果、長時間の色相保持や健康指示薬の安定性は良好であるものの、ｐＨ調整液滴下直後に動物用健康検査材の表面がベタついてしまい、排尿中又はその直後の動物の毛に健康指示薬が呈する色が移行してしまうものとなった。それらの結果を表５に示す。
【０１１２】
（比較例１４）
実施例１９の水を５０重量部に変えた以外は、実施例１９と同様の手順により動物用健康検査材を得て、同様の試験を行った。その結果、３ヶ月保管後は色相で判断がなくなってしまった。これは含水率が高いためにｐＨ指示薬が変性されてｐＨ試験機能が失われてしまったからと考えられる。それらの結果を表５に示す。